(57)【要約】【課題】本考案は、自動車内に模型自動車を設置し、その模型自動車に種々の映像を映し出させて飽きることがなく楽しむことができる液晶ディスプレイ付き自動車設置用模型自動車を提供する。【解決手段】自動車（３）の室内に設置する模型自動車（１）であって、その模型自動車（１）に、少なくとも液晶ディスプレイ（２）を装着する。この液晶ディスプレイ（２）を前記自動車（３）の映像再生装置（４）及びバッテリー（５）に接続する。【選択図】図１
0003171504.tif 000002
【実用新案登録請求の範囲】
【請求項１】
自動車（３）の室内に設置する模型自動車（１）であって、その模型自動車（１）に少なくとも液晶ディスプレイ（２）を装着し、この液晶ディスプレイ（２）を前記自動車（３）の映像再生装置（４）及びバッテリー（５）に接続したことを特徴とする液晶ディスプレイ付き自動車設置用模型自動車。
【請求項２】
前記液晶ディスプレイ（２）が、前記模型自動車（１）の窓ガラス（11）に装着した請求項１記載の液晶ディスプレイ付き自動車設置用模型自動車。
【請求項３】
前記液晶ディスプレイ（２）が、前記模型自動車（１）のリア窓ガラス（11a）に装着した請求項１記載の液晶ディスプレイ付き自動車設置用模型自動車。
【考案の詳細な説明】
【技術分野】
【０００１】
本考案は、自動車内に設置し、装飾性や映像を楽しむことができる液晶ディスプレイを具備した液晶ディスプレイ付き自動車設置用模型自動車に関する。
【背景技術】
【０００２】
従来、自動車内のダッシュボード上に模型自動車を装着して室内の装飾性や模型自動車の発光器を操作して楽しむことが行われていた。
これは、自動車の搭乗者が、車内からは自分の自動車の外観やランプ等の動作が見えないので、自分の自動車と同種の模型自動車を車内に装置し、その模型自動車の外観や動作を恰も自分の自動車のごとくに見立てて楽しむことや、又模型自動車を自分の自動車に近い外観装飾にして、見て楽しむことが一部のマニア間で行われている。
【０００３】
また、特許文献１には、模型自動車に発光器を設け、それを点灯制御してリアリティ性を実現するラジコンカー等の移動模型自動車が開示されている。
【０００４】
更に、特許文献２には、走行する模型用のミニ四輪駆動車に発光ダイオードを取り付けて、あたかもヘッドライトや標識灯が点灯し、あるいはマフラーから炎が噴射しているように見せかけて構成した模型用のミニ四輪駆動車が開示されている。
【先行技術文献】
【特許文献】
【０００５】
【特許文献１】特開２０１０−０９９１１３号公報
【特許文献２】特開平１０−３０５１７６号公報
【考案の概要】
【考案が解決しようとする課題】
【０００６】
しかしながら、従来の模型自動車においては、いずれも模型自動車に発光装置を設け、それを点灯又は点滅させて、臨場感やゲーム感を楽しむものであるが、このように単に発光装置を備えただけでは、変化に欠けすぐに飽きて長く楽しむことができず、特に自動車内に設置して楽しむ模型自動車においては、走行が伴わないため発光装置の点灯のみではより変化に乏しくつまらないものとなる問題点を有していた。
【０００７】
本考案は、自動車内に模型自動車を設置し、その模型自動車に種々の映像を映し出させて飽きることがなく楽しむことができる液晶ディスプレイ付き自動車設置用模型自動車を提供することを目的とする。
【課題を解決するための手段】
【０００８】
本考案は上記問題点に鑑み成されたものであり、自動車（３）の室内に設置する模型自動車（１）であって、その模型自動車（１）に少なくとも液晶ディスプレイ（２）を装着する。この液晶ディスプレイ（２）を前記自動車（３）の映像再生装置（４）及びバッテリー（５）に接続する。
【０００９】
また、前記液晶ディスプレイ（２）が、模型自動車（１）の窓ガラス（11）に装着するのが好ましい。
【００１０】
また、前記液晶ディスプレイ（２）が、模型自動車（１）のリア窓ガラス（11ａ）に装着するのが好ましい。
【００１１】
本考案に使用する液晶ディスプレイ（２）は、画像表示部を示し、これには液晶パネル（2a）と、それに電気信号を供給するための駆動回路とから構成され、駆動回路としては駆動用プリント基板（2b）で構成されている。
【考案の効果】
【００１２】
本考案は、模型自動車（１）に液晶ディスプレイ（２）を装着し、それを自動車（３）の映像再生装置（４）に接続したことにより、自動車（３）室内に設置した模型自動車（１）そのものあるいは模型自動車（１）の発光器を操作したりして楽しむ他に、液晶ディスプレイ（２）に種々の映像を表示して楽しむことができ、より変化に富んで飽きることもない。
【００１３】
また、本来自動車（３）自体が有する映像再生装置（４）のモニターに対する映像表示以外に、模型自動車（１）の液晶ディスプレイ（２）による映像表示も同時にできる。従って、両表示においては、映像再生装置（４）から別々な映像を表示させることができ、例えば、地図情報の映像は自動車（３）のモニターに表示しながら、模型自動車（１）の液晶ディスプレイ（２）にはＤＶＤ又はＴＶの映像を同時に表示することができ、これにより自動車（３）内の同乗者が別々の映像を同時に見ることができ便利で楽しめる。
【図面の簡単な説明】
【００１４】
【図１】本考案の実施例を示す説明図である。
【図２】本考案の模型自動車における液晶ディスプレイを示す説明図である。
【図３】本考案の液晶ディスプレイを駆動させるブロック図である。
【図４】本考案の液晶ディスプレイの取り付け状態図である。
【考案を実施するための形態】
【００１５】
以下、本考案の実施形態について説明する。図１、図２において、（１）は模型自動車であり、この模型自動車（１）としては、一般に知られているプラスチックモデルカー（プラモデルカー）、ラジオコントロールカー（ラジコンカー）等であり、それらの車種については限定されない。
【００１６】
（２）は液晶ディスプレイであり、この液晶ディスプレイ（２）は、液晶パネル（2a）と、この液晶パネル（2a）を駆動させる駆動回路を有する駆動用プリント基板（2b）とから構成され、全体が模型自動車（１）の窓に納まる程度のコンパクトなものである。
これらは図４に示すように、液晶パネル（2a）の裏側に駆動用プリント基板（2b）が一体的に装着され、この駆動用プリント基板（2b）のコネクター（2C）から後述する映像再生装置（４）及びバッテリー（５）にコードで接続させている。従って、模型自動車（１）内に設置するのに都合がよい。
尚、液晶パネル（2a）と駆動用プリント基板（2b）とは、必ずしも、模型自動車（１）の種類によっては、前記したように一体型でなくとも、別々に設けてもよい。
【００１７】
また、液晶ディスプレイ（２）は、図４に示すように、模型自動車（１）の窓ガラス（11）に装着させるのが、取付けが簡単で見易いため好ましく、特には、通常模型自動車（１）は自動車（３）内に搭乗者から見て後ろ向きに設置され、その後ろ姿を見て楽しむ傾向が多い関係上、模型自動車（１）のリア窓ガラス（11a）内側に接着させるのが好ましい。この際に液晶パネル（2a）の突出する外周枠とリア窓ガラス（11a）とを接着させて固定すればよい。更に、液晶パネル（2a）の大きさは、模型自動車（１）の窓ガラス（11）よりも狭いものが使用される。
【００１８】
（３）は、通常、人が運転する自動車であり、この室内に模型自動車（１）が設置される。模型自動車（１）が設置される自動車（３）の室内としては、通常はダッシュボード（3a）の上面であるが、必ずしもこの場所に限定されず、自動車（３）の搭乗者から見える場所ならばよい。
また、模型自動車（１）を自動車（３）のダッシュボード（3a）に設置するには、模型自動車（１）のタイヤ（1c）とダッシュボード（3a）とを接着し固定するが、この場合両面テープ（６）を介して接着させるのがよい。
この模型自動車（１）は自動車（３）の室内に設置されるが、この際に液晶ディスプレイ（２）をリア窓ガラス（11a）に設けた場合には、模型自動車（１）のリア窓ガラス（11a）が自動車（３）の搭乗者からよく見えるように設置されている。
【００１９】
（４）は、自動車（３）内に初めから装着されている映像再生装置であり、例えば、ＤＶＤ再生装置、ナビゲーション装置あるいはＴＶ映像装置等である。
この映像再生装置（４）の映像出力端子と、駆動用プリント基板（2b）に設けられたコネクター（2C）の映像信号入力端子側がケーブルで接続されている。
そして、映像再生装置（４）で再生された映像出力信号が駆動用プリント基板（2b）に入力され、この入力信号が駆動用プリント基板（2b）の駆動回路で駆動処理されて液晶パネル（2a）に入力され、液晶パネル（2a）でもって映像を写し出すのである。
【００２０】
（５）は自動車（３）に通常設けられているバッテリーであり、このバッテリー（５）は液晶ディスプレイ（２）の駆動用プリント基板（2b）に設けられたコネクター（2C）の電源入力端子側とケーブルで接続し、液晶ディスプレイ（２）の駆動電源と成している。
尚、液晶ディスプレイ（２）とバッテリー（５）とは直接接続しなくとも、液晶ディスプレイ（２）の電源としてはバッテリー（５）を電源とする自動車（３）に設けた他の機器から接続し、電源を確保してもよい。
【００２１】
また、本考案の模型自動車（１）には、液晶ディスプレイ（２）の他に、通常行われているように、ヘッドライト、ブレーキランプ、方向指示器などのライト（７）を模した発光器を具備し、このライト（７）を点灯・消灯するようにしてもよい。
このライト（７）の取付けや操作等の構成についてはすでに公知であるから、これ以上の説明を省略する。
【００２２】
次に、液晶ディスプレイ（２）の駆動について図３を基に説明する。
液晶ディスプレイ（２）は、液晶パネル（2a）と、それと電気接続する駆動用プリント基板（2b）とから構成され、駆動用プリント基板（2b）には液晶パネル（2a）を駆動させる駆動回路が組み込まれている。
また、駆動用プリント基板（2b）は自動車（３）に設けられた映像再生装置（４）とケーブルで接続され、更に液晶パネル（2a）及び駆動用プリント基板（2b）とが、自動車（３）のバッテリー（５）と接続されている。
【００２３】
このように構成された液晶ディスプレイ（２）及び映像再生装置（４）においては、映像再生装置（４）の映像出力信号が駆動用プリント基板（2b）に入力され、この入力信号が駆動回路で処理して駆動信号を液晶パネル（2a）に入力し、液晶パネル（2a）が映像再生装置（４）の映像を画面に表示する。
【００２４】
この際に、液晶ディスプレイ（２）は映像のみを表示するが、音声は映像再生装置（４）の音声出力が自動車（３）に設けられたスピーカーと接続されているため、自動車（３）のスピーカーから映像の音声が聞こえるようにしている。
【００２５】
従って、本考案では、自動車（３）内に設置している映像再生装置（４）を操作することにより、その映像が液晶ディスプレイ（２）から映し出されると共に音声も自動車（３）のスピーカーから聞こえるため、自動車（３）内に装置した模型自動車（１）を飽きることなく見て楽しむことができる。
【符号の説明】
【００２６】
１  模型自動車
11  窓ガラス
11aリア窓ガラス
２  液晶ディスプレイ
３  自動車
４  映像再生装置
５  バッテリー
【図１】
0003171504.tif 000003
【図２】
0003171504.tif 000004
【図３】
0003171504.tif 000005
【図４】
0003171504.tif 000006